(57)【要約】【課題】安価な促進酸化処理法による廃水処理装置を得る。【解決手段】バッファタンク１内に廃水を収容するとともに、この廃水を廃水供給管２により渦流ポンプ３、旋回加速器４、流量計又は圧力計５、バルブ６及び分散器７を介して処理水槽１１内に流入させ、この間に廃水に酸化剤を注入するとともに、気体供給管８から酸素を供給して溶解し、、かつ渦流ポンプ３、旋回加速器４及び分散器７により構成したマイクロバブル発生装置により廃水にマイクロバブルを発生させる。処理水槽１１内では、撹拌装置１２により処理水を撹拌する。又、処理水層１１内の処理水を返送管１３を介してバッファタンク１に返送する。【選択図】図１
2008023491.tif 000002
【特許請求の範囲】
【請求項１】
廃水に酸素を供給して溶解させる手段と、廃水に酸化剤を注入する手段と、廃水にマイクロバブルを発生させる手段とを備えたことを特徴とする促進酸化処理法による廃水処理装置。
【請求項２】
廃水を酸化剤の注入とマイクロバブルの発生により処理した処理水を撹拌する手段を設けたことを特徴とする請求項１記載の促進酸化処理法による廃水処理装置。
【請求項３】
廃水に酸素を供給して溶解させる手段と、廃水にマイクロバブルを発生させる手段と、廃水に紫外線を照射する手段とを備えたことを特徴とする促進酸化処理法による廃水処理装置。
【請求項４】
廃水をマイクロバブルの発生と紫外線の照射により処理した処理水を撹拌する手段を設けたことを特徴とする請求項３記載の促進酸化処理法による廃水処理装置。
【請求項５】
廃水に酸素を供給して溶解させる手段と、廃水にマイクロバブルを発生させる手段と、廃水に紫外線を照射する手段と、廃水をマイクロバブルの発生と紫外線の照射により処理した処理水を収容した処理水槽の内表面に設けられ、処理水に酸化還元力を付与する酸化チタン層とを備えたことを特徴とする促進酸化処理法による廃水処理装置。
【請求項６】
廃水をマイクロバブルの発生と紫外線の照射と酸化チタン層からの酸化還元力により処理した処理水を撹拌する手段を設けたことを特徴とする請求項５記載の促進酸化処理法による廃水処理装置。
【請求項７】
廃水に酸素を供給して溶解させる手段と、廃水に酸化剤を注入する手段と、廃水にマイクロバブルを発生させる手段と、廃水に紫外線を照射する手段と、廃水を酸化剤の注入とマイクロバブルの発生と紫外線の照射により処理した処理水を収容した処理水槽の内表面に設けられ、処理水に酸化還元力を付与する酸化チタン層とを備えたことを特徴とする促進酸化処理法による廃水処理装置。
【請求項８】
廃水を酸化剤の注入とマイクロバブルの発生と紫外線の照射と酸化チタン層からの酸化還元力により処理した処理水を撹拌する手段を設けたことを特徴とする請求項７記載の促進酸化処理法による廃水処理装置。
【発明の詳細な説明】
【技術分野】
【０００１】
この発明は、工場や事業所等の廃水処理を促進酸化処理法により行う廃水処理装置に関するものである。
【背景技術】
【０００２】
食品プラント、パルププラント、化学プラント等の各種産業から発生する廃水や家庭からの生活廃水ないし下水その他の廃水をそのまま放流すると、河川、湖沼及び海洋は勿論、土壌及び環境までも汚染することになり、その対策が緊急の課題となっている。
【０００３】
ところで、このような廃水を処理する廃水処理方法としては、種々のものがあるが、その一つに促進酸化処理法（ＡＯＰ法）があり、促進酸化処理法は、オゾン、過酸化水素、紫外線等を併用することによって強力な酸化剤であるＯＨラジカル（ヒドロキシルラジカル）等のフリーラジカルを発生させ、このフリーラジカルによって水中の汚染物質（難分解性物質）を酸化により分解除去する方法である。
【０００４】
一方、マイクロバブルの水質浄化機能も、広く知られているが、マイクロバブルの気泡径範囲については、共通化された定義はない。一般に、微細気泡と呼ばれる気泡径１ｍｍ以下程度のものをマイクロバブルと呼ぶ場合もあるが、ここでは、自己加圧現象等の特長的な性質を示すような、気泡径が数十μｍ〜１μｍ程度の超微細気泡（気泡群）をマイクロバブルとする。
【０００５】
このようなマイクロバブルは、（１）気泡径が小さく、気体溶解効果が大きい。（２）上昇速度が遅い。（３）気泡内圧力が高く、自己加圧効果が大きい。（４）気泡表面が負に帯電している。（５）生物に作用させると、生理活性作用がある。という特長がある。有機物分解に関しては、マイクロバブルの自己加圧効果を利用し、自己加圧効果により、超高温、超高圧の領域（ホットスポット）を形成し、周囲を取り巻く水を強制的に分解できるほど強力なＯＨラジカル等のフリーラジカルを発生させる。
【０００６】
又、マイクロバブル発生装置としては、（１）衝撃波法によるもの（２）ラインミキサー（３）渦流ポンプ（キャビテーションポンプ）（４）旋回加速器（５）加圧溶解法によるもの（６）超音波法によるもの（７）その他（フィルター方式等によるもの）等があり、これらのいくつかを組み合わせたものでもよい。
【０００７】
なお、先行技術文献情報としては、次のものがある。
【特許文献１】特開２００３−１２６６６５号公報
【特許文献２】特開２００３−２４５６６２号公報
【発明の開示】
【発明が解決しようとする課題】
【０００８】
しかしながら、従来の促進酸化処理法により、オゾンに過酸化水素や紫外線を併用して廃水の処理を行う場合、高価なオゾン発生装置や排オゾン処理設備が必要である。そのため、小規模排水等においては、設備費用が高額になるため、促進酸化処理法を導入したくても導入できないのが実情である。
【０００９】
この発明は上記のような課題を解決するために成されたものであり、安価な促進酸化処理法による廃水処理装置を得ることを目的とする。
【課題を解決するための手段】
【００１０】
この発明の請求項１に係る促進酸化処理法による廃水処理装置は、廃水に酸素を供給して溶解させる手段と、廃水に酸化剤を注入する手段と、廃水にマイクロバブルを発生させる手段とを備えたものである。
【００１１】
請求項２に係る促進酸化処理法による廃水処理装置は、廃水を酸化剤の注入とマイクロバブルの発生により処理した処理水を撹拌する手段を設けたものである。
【００１２】
請求項３に係る促進酸化処理法による廃水処理装置は、廃水に酸素を供給して溶解させる手段と、廃水にマイクロバブルを発生させる手段と、廃水に紫外線を照射する手段とを備えたものである。
【００１３】
請求項４に係る促進酸化処理法による廃水処理装置は、廃水をマイクロバブルの発生と紫外線の照射により処理した処理水を撹拌する手段を設けたものである。
【００１４】
請求項５に係る促進酸化処理法による廃水処理装置は、廃水に酸素を供給して溶解させる手段と、廃水にマイクロバブルを発生させる手段と、廃水に紫外線を照射する手段と、廃水をマイクロバブルの発生と紫外線の照射により処理した処理水を収容した処理水槽の内表面に設けられ、処理水に酸化還元力を付与する酸化チタン層とを備えたものである。
【００１５】
請求項６に係る促進酸化処理法による廃水処理装置は、廃水をマイクロバブルの発生と紫外線の照射と酸化チタン層からの酸化還元力により処理した処理水を撹拌する手段を設けたものである。
【００１６】
請求項７に係る促進酸化処理法による廃水処理装置は、廃水に酸素を供給して溶解させる手段と、廃水に酸化剤を注入する手段と、廃水にマイクロバブルを発生させる手段と、廃水に紫外線を照射する手段と、廃水を酸化剤の注入とマイクロバブルの発生と紫外線の照射により処理した処理水を収容した処理水槽の内表面に設けられ、処理水に酸化還元力を付与する酸化チタン層とを備えたものである。
【００１７】
請求項８に係る促進酸化処理法による廃水処理装置は、廃水を酸化剤の注入とマイクロバブルの発生と紫外線の照射と酸化チタン層からの酸化還元力により処理した処理水を撹拌する手段を設けたものである。
【発明の効果】
【００１８】
以上のようにこの発明の請求項１によれば、廃水にマイクロバブルを発生させ、マイクロバブルは圧壊によりフリーラジカルを生成し、難分解性有機物の分解を行うことができる。又、このマイクロバブルの発生と酸化剤の注入を併用することにより、さらに有機物の分解処理を促進させることができる。このため、従来のオゾンの代替としてマイクロバブルを有効に促進酸化処理に適用することができ、促進酸化処理法による廃水処理を安価にすることができる。
【００１９】
請求項２によれば、廃水を酸化剤の注入とマイクロバブルの発生により処理した処理水を撹拌しており、促進酸化処理をさらに促進させることができる。
【００２０】
請求項３によれば、廃水にマイクロバブルを発生させ、マイクロバブルは圧壊によりフリーラジカルを生成し、難分解性有機物の分解を行うことができる。又、このマイクロバブルの発生と殺菌効果等がある紫外線の照射とを併用することにより、さらに有機物の分解処理を促進させることができる。このため、従来のオゾンの代替としてマイクロバブルを有効に促進酸化処理に適用することができ、促進酸化処理法による廃水処理を安価にすることができる。
【００２１】
請求項４によれば、廃水をマイクロバブルの発生と紫外線の照射により処理した処理水を撹拌しており、促進酸化処理をさらに促進させることができる。
【００２２】
請求項５によれば、廃水にマイクロバブルを発生させ、マイクロバブルは圧壊によりフリーラジカルを生成し、難分解性有機物の分解を行うことができる。又、このマイクロバブルの発生と殺菌効果等がある紫外線の照射と酸化チタン層からの酸化還元力とを併用することにより、さらに有機物の分解処理を促進させることができる。このため、従来のオゾンの代替としてマイクロバブルを有効に促進酸化処理に適用することができ、促進酸化処理法による廃水処理を安価にすることができる。
【００２３】
請求項６によれば、廃水をマイクロバブルの発生と紫外線の照射と酸化チタン層からの酸化還元力により処理した処理水を撹拌しており、促進酸化処理をさらに促進させることができる。
【００２４】
請求項７によれば、廃水にマイクロバブルを発生させ、マイクロバブルは圧壊によりフリーラジカルを生成し、難分解性有機物の分解を行うことができる。又、このマイクロバブルの発生と酸化剤の注入と紫外線の照射と酸化チタン層からの酸化還元力とを併用することにより、さらに有機物の分解処理を促進させることができる。このため、従来のオゾンの代替としてマイクロバブルを有効に促進酸化処理に適用することができ、促進酸化処理法による廃水処理を安価にすることができる。
【００２５】
請求項８によれば、廃水を酸化剤の注入とマイクロバブルの発生と紫外線の照射と酸化チタン層からの酸化還元力により処理した処理水を撹拌しており、促進酸化処理をさらに促進させることができる。
【発明を実施するための最良の形態】
【００２６】
実施最良形態１
以下、この発明を実施するための最良の形態を図面とともに説明する。図１は
この発明の実施最良形態１による促進酸化処理法による廃水処理装置の構成図を示し、バッチ処理の例を示す。図において、１は処理対象の廃水を収容したバッファタンク、２は廃水を供給する廃水供給管であり、廃水供給管２には渦流ポンプ３、旋回加速器４、流量計又は圧力計５、バルブ６及び分散器７を順次設ける。渦流ポンプ３と旋回加速器４と分散器７とによりマイクロバブル発生装置を構成する。又、廃水供給管２の渦流ポンプ３の手前側には気体供給管８を接続し、気体供給管８には流量調節器９及び流量計１０を設ける。流量調節器９は気体の流量を調節し、流量計１０は気体の流量を測定する。また、廃水供給管２の気体供給管８の接続部の手前又は流量計または圧力計５とバルブ６との間に過酸化水素（Ｈ2Ｏ2）又は次亜塩素酸ナトリウム（ＮａＯＣｌ）等の酸化剤の吸引口を設ける。又、分散器７の後には処理水槽１１が設けられ、処理水槽１１には撹拌装置１２が設けられる。また、処理水槽１１とバッファタンク１との間には返送管１３が設けられ、返送管１３にもバルブ１４が設けられる。又、処理水槽１１の底部には引抜管１５が接続され、引抜管１５には引抜バルブ１６が設けられる。
【００２７】
次に、上記構成の動作について説明する。各種の廃水がバッファタンク１内に収容され、この廃水は廃水供給管２を介して渦流ポンプ３に供給されるが、その間に設けられた吸引口からは過酸化水素や次亜塩素酸ナトリウム等の酸化剤が注入される。酸化剤の注入は、流量計又は圧力計５を通過後に行ってもよい。気体供給管８からは流量調節器９及び流量計１０を介して空気、純酸素、高濃度酸素のうちの何れかが供給され、これらの気体は廃水中に溶解する。このように、酸素が溶解するとともに、酸化剤が注入された廃水は渦流ポンプ３により渦流を発生されて吸引され、旋回加速器４により旋回が加速され、流量計又は圧力計５ではこの流体の流量又は圧力が測定され、バルブ６を介して分散器７により分散され、マイクロバブルが発生する。このように酸化剤が注入されるとともに、マイクロバブルが発生され、促進酸化処理された処理水は処理水槽１１内に送入され、撹拌装置１２により撹拌され、促進酸化がさらに促進される。この処理水は返送管１３を介してバッファタンク１に返送される。又、必要に応じて引抜管１５から処理水槽１１内の処理水が引き抜かれ、処理水の処理状態が検査される。
【００２８】
実施最良形態１においては、渦流ポンプ３、旋回加速器４及び分散器７によりマイクロバブル発生装置が形成され、これにより発生されたマイクロバブルは圧壊によりフリーラジカルを生成し、難分解性有機物の分解を行うことができ、このマイクロバブルと酸化剤の注入とを併用することにより、さらに有機物の分解処理を促進させることができる。又、処理水槽１１中の処理水を撹拌することにより、さらに促進酸化を促進させることができる。このように、実施最良形態１においては、促進酸化処理法による廃水処理において、マイクロバブルの発生と酸化剤の注入とを併用して、難分解性有機物の分解を効果的に行うことができ、廃水の処理を効果的に行うことができる。このため、従来用いていた酸化力の強いオゾンの代替としてマイクロバブルを有効に促進酸化処理に適用することができ、促進酸化処理にオゾンを用いる必要がなくなり、促進酸化処理法による廃水処理を安価に行うことができる。
【００２９】
なお、マイクロバブル発生装置の後段にスタティックミキサー等を設置すれば、マイクロバブルの発生をさらに増加させることができる。又、マイクロバブルの発生を酸化剤の注入後に行ったが、酸化剤の注入前に行ってもよい。さらに、マイクロバブル発生装置へ供給する気体は空気、純酸素、高濃度酸素の何れでもよい。
【００３０】
実施最良形態２
図２はこの発明の実施最良形態２による促進酸化処理法による廃水処理装置の構成図を示し、連続処理の例を示す。実施最良形態１と相違する点は、バッファタンク１、返送管１３及びバルブ１４を廃止し、廃水供給管２に廃水を連続して供給するようにするとともに、促進酸化処理された処理水槽１１内の処理水を排出管１７を介して外部に排出するようにした点である。排出管１７にはバルブ１８が設けられている。実施最良形態２においては、廃水処理を連続して行うことができる点が実施最良形態１と異なるが、廃水処理動作及び効果は実施最良形態１と同様である。
【００３１】
実施最良形態３
図３はこの発明の実施最良形態３による促進酸化処理法による廃水処理装置の構成図を示し、バッチ処理の例を示す。実施最良形態３において、実施最良形態１と異なる点は、酸化剤の注入を行わない点と、処理水槽１１内に処理水に紫外線を照射する紫外線照射器１９を設けた点にある。
【００３２】
上記構成において、バッファタンク１内の廃水は廃水供給管２を介して渦流ポンプ３に供給されるが、その間に気体供給管８から空気、純酸素、高濃度酸素のうちの何れかが供給され、これらの気体は廃水中に溶解する。このように、酸素が溶解された廃水は渦流ポンプ３により渦流を発生されて吸引され、旋回加速器４により旋回が加速され、流量計又は圧力計５ではこの流体の流量又は圧力が測定され、バルブ６を介して分散器７により分散され、マイクロバブルが発生する。このように酸素が溶解され、マイクロバブルが発生された処理水は処理水槽１１内に挿入され、紫外線照射器１９から紫外線が照射されて促進酸化処理され、撹拌装置１２により撹拌される。この処理水は返送管１３を介してバッファタンク１に返送される。又、必要に応じて引抜管１５から処理水槽１１内の処理水が引き抜かれ、処理水の処理状態が検査される。
【００３３】
実施最良形態３においては、渦流ポンプ３、旋回加速器４及び分散器７によりマイクロバブル発生装置が形成され、これにより発生されたマイクロバブルは圧壊によりフリーラジカルを生成し、難分解性有機物の分解を行うことができ、このマイクロバブルの発生と殺菌効果等がある紫外線の照射を併用することにより、さらに有機物の分解処理を促進させることができる。又、処理水槽１１中の処理水を撹拌することにより、さらに促進酸化を促進させることができる。このように、実施最良形態３においては、促進酸化処理法による廃水処理において、マイクロバブルの発生と紫外線の照射とを併用して、難分解性有機物の分解を効果的に行うことができ、廃水の処理を効果的に行うことができる。このため、従来用いていた酸化力の強いオゾンの代替としてマイクロバブルを有効に促進酸化処理に適用することができ、促進酸化処理にオゾンを用いる必要がなくなり、促進酸化処理法による廃水処理を安価に行うことができる。
【００３４】
なお、マイクロバブル発生装置の後段にスタティックミキサー等を設置すれば、マイクロバブルの発生をさらに増加させることができる。又、マイクロバブルの供給を紫外線の照射前に行ったが、紫外線の照射後に行ってもよい。さらに、マイクロバブル発生装置へ供給する気体は空気、純酸素、高濃度酸素の何れでもよい。
【００３５】
実施最良形態４
図４はこの発明の実施最良形態４による促進酸化処理法による廃水処理装置の構成図を示し、連続処理の例を示す。実施最良形態３と相違する点は、バッファタンク１、返送管１３及びバルブ１４を廃止し、廃水供給管２に廃水を連続して供給するようにするとともに、促進酸化処理された処理水槽１１内の処理水を排出管１７を介して外部に排出するようにした点である。排出管１７にはバルブ１８が設けられている。実施最良形態４においては、廃水処理を連続して行うことができる点が実施最良形態３と異なるが、廃水処理動作及び効果は実施最良形態３と同様である。
【００３６】
実施最良形態５
図５はこの発明の実施最良形態５による促進酸化処理法による廃水処理装置の構成図を示し、バッチ処理の例を示す。実施最良形態５において、実施最良形態１と異なる点は、酸化剤の注入を行わない点と、処理水槽１１内に処理水に紫外線を照射する紫外線照射器１９を設けた点と、処理水槽１１の内表面に酸化チタン（ＴｉＯ2）をコーティングして、酸化チタン層２０を形成した点にある。
【００３７】
上記構成において、バッファタンク１内の廃水は廃水供給管２を介して渦流ポンプ３に供給されるが、その間に気体供給管８から空気、純酸素、高濃度酸素のうちの何れかが供給され、これらの気体は廃水中に溶解する。このように、酸素が溶解された廃水は渦流ポンプ３により渦流を発生されて吸引され、旋回加速器４により旋回が加速され、流量計又は圧力計５ではこの流体の流量又は圧力が測定され、バルブ６を介して分散器７により分散され、マイクロバブルが発生する。このように酸素が溶解され、マイクロバブルが発生された処理水は処理水槽１１内に挿入され、紫外線照射器１９から紫外線が照射されるとともに、酸化チタン層２０から酸化還元力を受け、促進酸化処理され、また撹拌装置１２により撹拌される。この処理水は返送管１３を介してバッファタンク１に返送される。又、必要に応じて引抜管１５から処理水槽１１内の処理水が引き抜かれ、処理水の処理状態が検査される。
【００３８】
実施最良形態５においては、渦流ポンプ３、旋回加速器４及び分散器７によりマイクロバブル発生装置が形成され、これにより発生されたマイクロバブルは圧壊によりフリーラジカルを生成し、難分解性有機物の分解を行うことができ、このマイクロバブルの発生と殺菌効果等がある紫外線の照射と酸化チタン層２０からの酸化還元力を併用することにより、さらに有機物の分解処理を促進させることができる。又、処理水槽１１中の処理水を撹拌することにより、さらに促進酸化を促進させることができる。このように、実施最良形態５においては、促進酸化処理法による廃水処理において、マイクロバブルの発生と紫外線の照射と酸化チタン層２０からの酸化還元力を併用して、難分解性有機物の分解を効果的に行うことができ、廃水の処理を効果的に行うことができる。このため、従来用いていた酸化力の強いオゾンの代替としてマイクロバブルを有効に促進酸化処理に適用することができ、促進酸化処理にオゾンを用いる必要がなくなり、促進酸化処理法による廃水処理を安価に行うことができる。
【００３９】
なお、マイクロバブル発生装置の後段にスタティックミキサー等を設置すれば、マイクロバブルの発生をさらに増加することができる。又、マイクロバブルの供給を紫外線の照射前に行ったが、紫外線の照射後に行ってもよい。さらに、マイクロバブル発生装置へ供給する気体は空気、純酸素、高濃度酸素の何れでもよい。
【００４０】
実施最良形態６
図６はこの発明の実施最良形態６による促進酸化処理法による廃水処理装置の構成図を示し、連続処理の例を示す。実施最良形態５と相違する点は、バッファ
タンク１、返送管１３及びバルブ１４を廃止し、廃水供給管２に廃水を連続して供給するようにするとともに、促進酸化処理された処理水槽１１内の処理水を排出管１７を介して外部に排出するようにした点である。排出管１７にはバルブ１８が設けられている。実施最良形態６においては、廃水処理を連続して行うことができる点が実施最良形態５と異なるが、廃水処理動作及び効果は実施最良形態５と同様である。
【００４１】
実施最良形態７
図７はこの発明の実施最良形態７による促進酸化処理法による廃水処理装置の構成図を示し、バッチ処理の例を示す。実施最良形態７において、実施最良形態１と異なる点は、処理水槽１１内に処理水に赤外線を照射する紫外線照射器１９を設けた点と、処理水槽１１の内表面に酸化チタンをコーティングして、酸化チタン層２０を形成した点にある。
【００４２】
上記構成において、廃水がバッファタンク１内に収容され、この廃水は廃水供給管２を介して渦流ポンプ３に供給されるが、その間に設けられた吸引口からは過酸化水素や次亜塩素酸ナトリウム等の酸化剤が注入される。酸化剤の注入は、流量計又は圧力計５を通過後に行ってもよい。気体供給管８からは流量調節器９及び流量計１０を介して空気、純酸素、高濃度酸素のうちの何れかが供給され、これらの気体は廃水中に溶解する。このように、酸素が溶解するとともに、酸化剤が注入された廃水は渦流ポンプ３により渦流を発生されて吸引され、旋回加速器４により旋回が加速され、流量計又は圧力計５ではこの流体の流量又は圧力が測定され、バルブ６を介して分散器７により分散され、マイクロバブルが発生する。このように酸化剤が注入されるとともに、マイクロバブルが発生された処理水は処理水槽１１内に送入され、紫外線照射器１９から紫外線が照射されるとともに、酸化チタン層２０から酸化還元力を受け、また撹拌装置１２により撹拌される。この処理水は返送管１３を介してバッファタンク１に返送される。又、必要に応じて引抜管１５から処理水槽１１内の処理水が引き抜かれ、処理水の処理状態が検査される。
【００４３】
実施最良形態７においては、渦流ポンプ３、旋回加速器４及び分散器７によりマイクロバブル発生装置が形成され、これにより発生されたマイクロバブルは圧壊によりフリーラジカルを生成し、難分解性有機物の分解を行うことができ、このマイクロバブルの発生と酸化剤の注入と紫外線の照射と酸化チタン層２０からの酸化還元力とを併用することにより、さらに有機物の分解処理を促進させることができる。又、処理水槽１１中の処理水を撹拌することにより、さらに促進酸化を促進させることができる。このように、実施最良形態７においては、促進酸化処理法による廃水処理において、マイクロバブルの発生と酸化剤の注入と紫外線の照射と酸化チタン層２０からの酸化還元力を併用して、難分解性有機物の分解を効果的に行うことができ、廃水の処理を効果的に行うことができる。このため、従来用いていた酸化力の強いオゾンの代替としてマイクロバブルを有効に促進酸化処理に適用することができ、促進酸化処理にオゾンを用いる必要がなくなり、促進酸化処理法による廃水処理を安価に行うことができる。
【００４４】
なお、マイクロバブル発生装置の後段にスタティックミキサー等を設置すれば、マイクロバブルの発生をさらに増加させることができる。又、マイクロバブルの発生は、酸化剤の注入前でも注入後でもよい。さらに、マイクロバブル発生装置へ供給する気体は空気、純酸素、高濃度酸素の何れでもよい。
【００４５】
実施最良形態８
図８はこの発明の実施最良形態８による促進酸化処理法による廃水処理装置の構成図を示し、連続処理の例を示す。実施最良形態７と相違する点は、バッファタンク１、返送管１３及びバルブ１４を廃止し、廃水供給管２に廃水を連続して供給するようにするとともに、促進酸化処理された処理水槽１１内の処理水を排出管１７を介して外部に排出するようにした点である。排出管１７にはバルブ１８が設けられている。実施最良形態８においては、廃水処理を連続して行うことができる点が実施最良形態７と異なるが、廃水処理動作及び効果は実施最良形態７と同様である。
【図面の簡単な説明】
【００４６】
【図１】この発明の実施最良形態１による促進酸化処理法による廃水処理装置の構成図である。
【図２】この発明の実施最良形態２による促進酸化処理法による廃水処理装置の構成図である。
【図３】この発明の実施最良形態３による促進酸化処理法による廃水処理装置の構成図である。
【図４】この発明の実施最良形態４による促進酸化処理法による廃水処理装置の構成図である。
【図５】この発明の実施最良形態５による促進酸化処理法による廃水処理装置の構成図である。
【図６】この発明の実施最良形態６による促進酸化処理法による廃水処理装置の構成図である。
【図７】この発明の実施最良形態７による促進酸化処理法による廃水処理装置の構成図である。
【図８】この発明の実施最良形態８による促進酸化処理法による廃水処理装置の構成図である。
【符号の説明】
【００４７】
１…バッファタンク
２…廃水供給管
３…渦流ポンプ
４…旋回加速器
７…分散器
８…気体供給管
１１…処理水槽
１２…撹拌装置
１３…返送管
１７…排出管
１９…紫外線照射器
２０…酸化チタン層
【図１】
2008023491.tif 000003
【図２】
2008023491.tif 000004
【図３】
2008023491.tif 000005
【図４】
2008023491.tif 000006
【図５】
2008023491.tif 000007
【図６】
2008023491.tif 000008
【図７】
2008023491.tif 000009
【図８】
2008023491.tif 000010